【手続補正書】
【提出日】平成19年6月28日(2007.6.28)
【手続補正１】
【補正対象書類名】明細書
【補正対象項目名】特許請求の範囲
【補正方法】変更
【補正の内容】
【特許請求の範囲】
【請求項１】  離れた二地点間にいる参加者を結びつける通信システムであって、
第１及び第２の地点においてそれぞれ、
少なくとも１つのリアルタイムの画像を取りこむ画像取り込み装置と、少なくとも１つの画像投射装置と、その地点の参加者が占有する観察ゾーンと、それを通して画像を視認させるマジックミラーとがそれぞれ備えられており、
それぞれの地点の画像取り込み装置が、
（ａ）自地点の観察ゾーンを占有する参加者を、マジックミラーを通過する視線方向に沿って直接的又は間接的に視認するように構成され、且つ
（ｂ）他方の地点の画像投射装置とリンクされ、それにより、取り込み画像を自地点から遠隔地点へ伝送するとともに遠隔地点において、対応するマジックミラーを通して視認させ、
少なくとも１つの地点において、
観察ゾーンに対してマジックミラーの反対側に、観察ゾーンからマジックミラーを通して視認しうる視覚的深度キュー手段が備えられ、前記視覚的深度キュー手段は、１つ又は複数の、視認可能な物理的な、実体的な物体の形を取り、前記物体は観察ゾーンからマジックミラーを通して視認でき、
このような視覚的深度キュー手段によって生じる３次元空間の設定環境の中に、遠隔地の参加者の遠隔地で取り込まれた画像が、マジックミラーを通して重ね合わされて見られるようにした通信システム。
【請求項２】  視覚的深度キュー手段としての前記物体が遠隔地からの画像の前方及び又は後方の位置に位置するようにしている請求項１に記載のシステム。
【請求項３】  前記３次元空間設定環境は椅子を含み、遠隔地からの画像の位置の後方に、その背もたれを設けている請求項１に記載のシステム。
【請求項４】  前記３次元空間設定環境は机、テーブル、カウンタ、コンソール、またはその種の家具を含み、前記家具類が遠隔地からの画像の位置の前方に位置する請求項１に記載のシステム。
【請求項５】  前記３次元空間設定環境が、遠隔地からの画像の位置の前方に配置された書見台を含む請求項１に記載のシステム。
【請求項６】  前記３次元空間設定環境がステージを含む請求項１に記載のシステム。
【請求項７】  遠隔地の参加者の全身の画像が、前記ステージ環境を背にして視認されるように投射される請求項６に記載のシステム。
【請求項８】  前記画像が前記ステージ環境の前端及び後端の中間位置に配置される請求項７に記載のシステム。
【請求項９】  前記ステージ環境が、遠隔地点で取り込まれた画像の位置の後方に配置される背景を含む請求項６または７に記載のシステム。
【請求項１０】  前記３次元空間設定環境が、遠隔地からの画像の位置の後方に配置される背景を含み、マジックミラーを通して見る背景上の画像を生成する手段が設けられている請求項１〜９のいずれか１項に記載のシステム。
【請求項１１】  前記遠隔地からの画像が、観察ゾーンから見て、３次元空間設定環境との関係において、遠隔地の参加者の、全身を含む等身大の画像として表されるように、投射される請求項１〜１０のいずれか１項に記載のシステム。
【請求項１２】  前記深度キュー手段を構成する１つ以上の物理的物体に光を当てる手段を含む請求項１〜１１のいずれか１項に記載のシステム。
【請求項１３】  遠隔地で取り込まれた参加者の画像が、自地点の参加者によりマジックミラーを通して視認された時に、目に見えない背景を含む請求項１〜１２のいずれか１項に記載のシステム。
【請求項１４】  観察ゾーンにいる参加者の視線に対して、マジックミラーが傾斜している請求項１〜１３のいずれか１項に記載のシステム。
【請求項１５】  前記マジックミラーが水平軸に対して傾斜している請求項１４に記載のシステム。
【請求項１６】  前記遠隔地で取り込まれた画像が、マジックミラーの下方の位置からマジックミラーに入射する請求項１５に記載のシステム。
【請求項１７】  前記遠隔地で取り込まれた画像が、マジックミラーの上方の位置からマジックミラーに入射する請求項１５に記載のシステム。
【請求項１８】  参加者の目の高さが、参加者を視認する画像取り込み装置の視線と一致するように、画像取り込み装置及び又は参加者自身を調整する手段を含む請求項１〜１７のいずれか１項に記載のシステム。
【請求項１９】  自地点の観察ゾーンから見た時、立体画像として見える効果を生み出すように、遠隔地で取り込んだ画像を表示するように配置、構成されている請求項１〜１８のいずれか１項に記載のシステム。
【請求項２０】  前記遠隔地で取り込まれた画像を、偏光要素を用いて処理することで異なる偏光性を有する画像の対を生成し、自地点で偏光眼鏡を使用して視認するときに、自地点で、シャッター眼鏡のようなビューアを使用して見た画像が、交互に切り替わる表示画面を同期させるようにして、遠隔地の参加者の立体画像が見えるようにする請求項１９に記載のシステム。
【請求項２１】 前記立体画像として見える効果が、異なる視点から取り込んだ遠隔地の参加者の画像を交互に切り替えて表示することで生成される請求項１９に記載のシステム。
【請求項２２】  前記地点の少なくとも１つに、その地点の参加者を異なる角度から視認する少なくとも２つの画像の取り込み装置が設けられ、前記地点の少なくとも１つに、遠隔地点の画像取り込み装置とリンクする少なくとも２つの画像投射装置が設けられる請求項１〜１８のいずれか１項に記載のシステム。
【請求項２３】 遠隔地で取り込まれた画像が、自地点の観察ゾーンからみたときに、前記立体画像として見える効果を生み出すように配置、構成されている請求項２２に記載のシステム。
【請求項２４】  遠隔地で取り込まれた画像が、観察ゾーンに対してマジックミラーと反対側に位置する再帰反射スクリーンに投射され、これにより遠隔地で取り込まれた画像が観察ゾーンにおいて再帰反射された形で見られる請求項２２又は２３に記載のシステム。
【請求項２５】  観察ゾーンにおいて、参加者の目の位置を追跡するための手段と、前記追跡された目の位置に従って画像投射装置を調整する手段とを含む請求項１〜２４のいずれか１項に記載のシステム。
【請求項２６】  前記追跡する手段が、システムを使用する参加者により着用される頭部装着品を含む請求項２５に記載のシステム。
【請求項２７】  前記追跡する手段は、参加者を観察するカメラ手段と、取り込んだ画像を分析し、それにより目の位置を決定する手段とを含む、請求項２５に記載のシステム。
【請求項２８】  遠隔地の参加者の行動を、自地点の３次元空間設定環境中に置かれた１つ以上の物理的物体と相関させて、自地点で観察される画像と前記１つ又は複数の物理的物体とが相互に作用した印象を生み出すようにする手段を含む請求項１〜２７のいずれか１項に記載のシステム。
【請求項２９】  離れた２地点にいる参加者を結びつける通信システムであって、
第１の地点において、少なくとも１つのリアルタイムの画像を取り込む装置と、１人以上の参加者が占有する観察ゾーンを備え、前記画像の取り込み装置が前記観察ゾーンを視認できるように配置され、
第２の地点において、前記第１の地点にある前記画像の取り込み装置とリンクする少なくとも１つの画像投射装置と、１人以上の参加者が占有する第２の地点の観察ゾーンと、前記観察ゾーンから視認可能な、１つ以上の物理的な物体の形を取る、視覚深度キュー手段を持つ３次元空間に設定された環境と、前記観察ゾーンと前記３次元空間に設定された環境との間に置かれたマジックミラー手段とを備え、
取り込まれた画像が第１の地点から第２の地点に伝送され、第２の地点において、前記画像が、対応するマジックミラーを通して、遠隔地の参加者の映像を前記３次元空間の設定環境に重ね合わせて投射されるように構成されているシステム。
【請求項３０】  遠隔地の参加者の全身像が前記３次元空間設定環境内に映像として投射される請求項２９に記載のシステム。
【請求項３１】  前記３次元空間設定環境がステージと、視覚深度キュー手段を構成する別の映像を現すための手段を含む請求項３０に記載のシステム。
【請求項３２】  視覚的な人と人との地点間のリンクが地点間のコンピュータリンクによって補強されている請求項１〜３１にいずれか１項に記載のシステム。
【請求項３３】 前記第１、第２の地点に加えて、１つ以上の別の地点があり、それぞれの地点の人がそれぞれ少なくとも１つの地点を含む互いの地点同志で、視覚的に通信できる、請求項１〜３２のいずれか１項に記載のシステム。
【請求項３４】  請求項１〜３２のいずれか１項のシステムにおいて使用される視認装置であって、
遠隔地の画像取り込み装置にリンクすることが可能な少なくとも１つの画像投射装置と、
１人以上の参加者により占有される観察ゾーンと、
前記観察ゾーンから視認可能な１つ以上の物理的な物体の形を取る、視覚深度キュー手段を有する３次元空間設定環境と、
前記観察ゾーンと３次元空間設定環境との間に置かれたマジックミラー手段とを備え、
前記遠隔地から画像投射装置に伝送された取り込み画像が、対応するマジックミラー手段を通して、前記３次元空間設定環境において重ね合わせるようにして遠隔地の１人以上の参加者を視認するよう投射されるように構成されている視認装置。
【請求項３５】  遠隔地の画像取り込み装置にリンクすることが可能な少なくとも１つの画像投射装置と、
１人以上の参加者により占有される観察ゾーンと、
前記観測ゾーンから視認可能な視覚深度キュー手段を有する３次元空間設定環境と、
前記観測ゾーンと３次元空間設定環境との間に置かれたマジックミラーとを備え、
前記遠隔地で取り込まれた画像が、観察ゾーンに対してマジックミラーの反対側に置かれた再帰反射スクリーンに投射され、それによって、遠隔地で取り込まれた画像が、観察ゾーンにおいて再帰反射の形で視認できるように構成された通信システム。
【請求項３６】  遠隔地の画像取り込み装置にリンクすることが可能な少なくとも１つの画像投射装置と、
１人以上の参加者により占有される観察ゾーンと、
前記観察ゾーンから視認可能な視覚深度キュー手段を有する３次元空間設定環境と、
前記観察ゾーンと３次元空間設定環境との間に置かれたマジックミラーと
観察ゾーンの参加者の目の位置を追跡するための手段と、
前記追跡された位置に基づいて画像投射装置を調節するための手段と、
を備えた請求項３４又は３５に記載の通信システム。
【請求項３７】  追跡する手段がシステムを使用するときに参加者が着用する頭部装着品である請求項３６に記載のシステム。
【請求項３８】  追跡する手段が、参加者を観察するためのカメラ手段と、取り込んだ画像を分析し、それにより目の位置を決定するための手段を備えた請求項３７に記載のシステム。
【請求項３９】  離れた二地点間にいる参加者を結びつける通信システムであって、
第１及び第２の地点においてそれぞれ、少なくとも１つのリアルタイムの画像を取りこむ画像取り込み装置と、少なくとも１つの画像投射装置と、その地点の参加者が点有する観察ゾーンと、それを通して画像を視認させるマジックミラーとが備えられており、
（ａ）それぞれの地点の画像取り込み装置が、自地点観察ゾーンを占有する参加者を、マジックミラーを通過する視線方向に沿って直接的又は間接的に視認するように構成され、且つ
（ｂ）他方の地点の画像投射装置とリンクされ、それにより、取り込み画像を自地点から遠隔地点へ伝送するとともに遠隔地点で対応するマジックミラーを通して視認させ、
少なくとも一方の地点には、
観察ゾーンに対してマジックミラーの反対側に、観察ゾーンからマジックミラーを通して視認しうる視覚的深度キュー手段が備えられ、それにより前記視覚的深度キュー手段によって生じる３次元空間設定環境の中に、遠隔地の参加者の遠隔地で取り込まれた画像が、マジックミラーを通して重ね合わされて見られるようにし、
前記遠隔地で取り込まれた画像が、観察ゾーンに対して、マジックミラーの反対側に位置する再帰反射スクリーン上に投射され、それによって遠隔地で取り込まれた画像が観察ゾーンにおいて再帰反射の形で視認できるようにした通信システム。
【請求項４０】  離れた二地点間にいる参加者を結びつける通信システムであって、
第１及び第２の地点においてそれぞれ、少なくとも１つのリアルタイムの画像を取りこむ画像取り込み装置と、少なくとも１つの画像投射装置と、その地点の参加者が占有する観察ゾーンと、それを通して画像を視認させるマジックミラーとが備えられており、
それぞれの地点の画像取り込み装置が、
（ａ）自地点観察ゾーンを占有する参加者を、マジックミラーを通過する視線方向に沿って直接的又は間接的に視認するように構成され、且つ
（ｂ）他方の地点の画像投射装置とリンクされ、それにより、取り込み画像を自地点から遠隔地点へ伝送するとともに遠隔地点で対応するマジックミラーを通して視認させ、
少なくとも一方の地点には、
観察ゾーンに対してマジックミラーの反対側に、観察ゾーンからマジックミラーを通して視認しうる視覚的深度キュー手段が備えられ、それにより前記視覚的深度キュー手段によって生じる３次元空間設定環境の中に、遠隔地の参加者の遠隔地で取り込まれた画像が、マジックミラーを通して重ね合わされて見られるようにし、
前記観察ゾーンにおいて参加者の目の位置を追跡するために備えられている手段と、前記追跡された位置に基づいて投射する画像を調節するための手段をさらに備えた通信システム。
【請求項４１】  追跡する手段がシステムを使用するときに参加者が装着する頭装装置である請求項４０に記載のシステム。
【請求項４２】  追跡する手段が、参加者を観察するためのカメラ手段と、取り込んだ画像を分析し、それにより目の位置を決定するための手段を備え、遠隔地で取り込まれた画像が自地点の観察ゾーンで見るときに、立体的な効果を生ずるように表示される手段とを含む請求項４１に記載のシステム。